(57)【要約】      （修正有）【課題】小型の液晶表示装置であっても、異なる照明色で照明される表示部を備えることが可能な液晶表示装置を提供する。【解決手段】液晶パネル１０と、液晶パネル１０を保持するセルケースと、液晶パネル１０を透過照明する光源と、液晶パネルを駆動させるための回路基板と、これらを収納する下ケースとを備え、液晶パネル１０は、セルケースに形成された遮光部によって区画された第１表示部１１と第２表示部２１とを有し、第１表示部１１にて表示しない情報を第２表示部２１にて表示させることによって、複雑な構造にすることなく複数の表示部を備えることができる。【選択図】図１
2017032605.tif 000002
【特許請求の範囲】
【請求項１】
液晶パネルと、前記液晶パネルを保持するセルケースと、前記液晶パネルを透過照明する光源と、前記液晶パネルを駆動させるための回路基板と、を備え、
前記液晶パネルは、前記セルケースに形成された遮光部によって区画された第１表示部と第２表示部とを有し、前記第１表示部に表示する情報とは異なる情報を前記第２表示部に表示させることを特徴とする液晶表示装置。
【請求項２】
前記第２表示部は、前記第１表示部とは異なる照明色で照明されることを特徴とする請求項１に記載の液晶表示装置。
【発明の詳細な説明】
【技術分野】
【０００１】
本発明は、例えば車両用計器に用いられる液晶表示装置に関し、特に液晶パネルの一部を異なる照明色で照明した液晶表示装置に係るものである。
【背景技術】
【０００２】
この種の液晶表示装置として、例えば下記特許文献１に記載されたものが知られている。この液晶表示装置は、透過型の液晶パネルと、液晶パネルを透過照明させるために液晶パネルの裏側に配置された光源と、液晶パネルの背後に配置された拡散板と、液晶パネルと拡散板とが保持されるセルケースと、セルケースの背後に配置された硬質な回路基板と、これらを収納する上ケースと下ケースと、を備えたものである。
【先行技術文献】
【特許文献】
【０００３】
【特許文献１】特開２０１４−２２４８８０号公報
【発明の概要】
【発明が解決しようとする課題】
【０００４】
しかしながら、このような液晶表示装置は、ワーニング表示用の表示スペースを異なる照明色で照明しなくてはいけないので、表示領域を一つしか備えていない、特に小型の液晶表示装置として適用される場合、部品レイアウトが困難であるといった問題点があった。
【０００５】
本発明は、このような問題に鑑みなされたものであり、小型の液晶表示装置であっても、異なる色で照明される表示部を備えることが可能な液晶表示装置を提供するものである。
【課題を解決するための手段】
【０００６】
本発明は、液晶表示素子と、前記液晶表示素子を保持するセルケースと、前記液晶表示素子を透過照明する光源と、前記液晶表示素子を駆動させるための回路基板と、を備え、
前記液晶表示素子は、前記セルケースに形成された遮光部によって区画された第１表示部と第２表示部とを有し、前記第１表示部に表示する情報とは異なる情報を前記第２表示部に表示させるものである。
【０００７】
また、本発明は、前記第２表示部は、前記第１表示部とは異なる照明色で照明されるものである。
【発明の効果】
【０００８】
小型の液晶表示装置であっても、異なる照明色で照明される表示部を備えることが可能な液晶表示装置を提供することができる。
【図面の簡単な説明】
【０００９】
【図１】本発明の実施形態を示す液晶表示装置の正面図。
【図２】同実施形態を示す液晶表示装置のＡ−Ａ断面図。
【図３】同実施形態を示す液晶表示装置のＢ−Ｂ断面図。
【図４】同実施形態を示す液晶表示素子の要部断面図。
【発明を実施するための形態】
【００１０】
本発明を車両用計器に用いられる液晶表示装置１を実施形態として説明する。図１は、液晶表示装置１の正面図である。図２は、液晶表示装置１のＡ−Ａ断面図である。図３は、液晶表示装置１のＢ−Ｂ断面図である。図４は、液晶パネル１０の要部断面図である。
【００１１】
液晶表示装置１は、透過型の液晶パネル１０と、液晶パネル１０を透過照明させるために液晶パネル１０の裏側に配置された第１光源２、第２光源２０と、液晶パネル１０の背後に配置された拡散板３と、液晶パネル１０と拡散板３とが保持されるセルケース４と、セルケース４の背後に配置された硬質な回路基板５と、これらを収納する上ケース６と下ケース７と、から主に構成されている。
【００１２】
液晶パネル１０は、パッシブ駆動方式、背景色が黒色であるノーマリブラック（ＮＢ）モード、且つセグメント表示型の液晶パネル１０であり、屋外での使用（例えば、バイク等の二輪車に搭載される）を想定して構成されている。液晶パネル１０は、第１基板１０３と第２基板１０４の間に液晶層１０５を封入し、ガラス基板１０３，１０４の表裏に偏光膜１０１，偏光膜１０２を配設したものである。
【００１３】
第１基板１０３、第２基板１０４は、各々、例えば、ガラス、プラスチック等から構成される透明基板である。第１基板１０３と第２基板１０４とは、液晶層１０５を挟んで対向するように、且つ、互いの主面が平行となるように配置されている。第１基板１０３は液晶パネル１０の表側に位置し、第２基板１０４は液晶パネル１０の裏側に位置する。
【００１４】
液晶パネル１０は、基板法線方向における両電極の重なる領域において、記号（文字、数字を含む）、図形、又はこれらの組み合わせを表す所定の意匠を表示する。具体的には、背景色が黒の表示面において、両電極にＯＮ電圧が印加された領域に外光等の光を導かせることによって、液晶パネル１０は、所定の意匠を白く表示する。
【００１５】
本実施形態においては、液晶パネル１０は、第１表示部１１、第２表示部２１と、を有している。第１表示部１１は、車両速度を数字で表示する車両速度表示部である。第２表示部２１は、９セグメントによって、車両の状態（Ｐ、Ｎ、Ｒなど）を表示するインジケータ表示部である。
【００１６】
第１光源２は、液晶パネル１０の第１表示部１１を透過照明する。第１光源２は、例えば発光ダイオードからなるものである。第２光源２０は、液晶パネル１０の背面側に配置される導光体２００とともに液晶パネル１０の第２表示部２１を透過照明する。第２光源２０は、例えば発光ダイオードからなり、異なる発光色（赤、緑など）の複数の発光素子からなる。
【００１７】
セルケース４は、液晶パネル１０と拡散板３を保持する役割とは別に、第２表示部２１の照明室を構成する遮光部である遮光壁４１を有している。遮光壁４１は、セルケース４と一体成形され、第２表示部２１と隣接した第１表示部１１へ、第２光源２０の光が露光しないように区画するものである。
【００１８】
また、液晶パネル１０は、その裏面に遮光層１２１を有し、この遮光層１２１は、第２表示部２１の周囲を囲むように区画しており、後述する第２光源２０の光が第１表示部１１へ漏れて、第１表示部１１の表示に悪影響が及ばないようになっている。なお、遮光層１２１は、液晶パネル１０の表面にもうけてもよい。
【００１９】
回路基板５は、たとえばガラスエポキシ系材料からなる硬質の基板で形成されており、光源２、２０などの電子部品が実装されている。
【００２０】
上ケース６は、合成樹脂材料からなり、下ケース７の開口部に配置され、液晶パネル１０を覆う透過性の前面パネル６１が嵌め込まれている。
【００２１】
上ケース６，下ケース７は、合成樹脂材料からなり、液晶パネル１０と、第１光源２，第２光源２０と、拡散板３と、セルケース４と、回路基板５とを収納する。
【００２２】
このような、液晶表示装置１において、第１光源２によって背後から照明される第１表示部１１と、第２光源２０によって照明される第２表示部２１とが遮光壁４１によって区画されているので、第２表示部２１のみを表示させたり、第２表示部２１を第１表示部１１とは異なる照明色で照明することができる。
【００２３】
このように、本実施形態における液晶表示装置１は、液晶パネル１０と、液晶パネル１０を保持するセルケース４と、液晶パネル１０を透過照明する光源２、２０と、液晶パネル１０を駆動させるための回路基板５と、を備え、液晶パネル１０は、セルケース４に形成された遮光部４１によって区画された第１表示部１１と第２表示部２１とを有し、第１表示部１１にて表示しない情報を第２表示部２１にて表示させることによって、複雑な構造にすることなく複数の表示部を備えることができる。
【００２４】
また、第２表示部２１は、第１表示部１１とは異なる照明色で照明されることによって、複雑な構造にすることなく複数の表示部を備えることができ、異なる照明光で照明することができる。
【００２５】
なお、本実施形態では、遮光層１２１が液晶パネル１０の裏面側に形成されている例を説明したが、遮光効果が得られるのであれば、遮光部が形成される箇所はこれに限定されず、例えば液晶パネル１０の表面であってもよい。
【００２６】
また、第２表示部２１が導光体２００を介して照明される例を説明したが、これに限定されず、第２光源２０の光を直接、液晶パネル１０の第２表示部２１に照射させる構造であってもよい。
【符号の説明】
【００２７】
１    液晶表示装置
２    第１光源（光源）
３    拡散板
４    セルケース
５    回路基板
６    上ケース
７    下ケース
１０  液晶パネル
１１  第１表示部
２０  第２光源（光源）
２１  第２表示部
４１  遮光壁（遮光部）
１０３  第１のガラス基板
１０４  第２のガラス基板
１２１  遮光層
【図１】
2017032605.tif 000003
【図２】
2017032605.tif 000004
【図３】
2017032605.tif 000005
【図４】
2017032605.tif 000006